(57)【要約】【課題】電話番号やメールアドレスなどの接続先情報を入力する手間を省いた栞及び通信方法を提供する。【解決手段】予め、電話番号やメールアドレスなどの接続先情報を記録したＯＲコード２を栞１に印刷しておく。携帯電話５は、栞１のＱＲコード２を読取部５ａで読み取り、該ＱＲコード２に記録されている接続先情報を無線部５ｂに送り、該当する接続先に自動接続する。本発明によれば、電話番号やメールアドレスなどの接続先情報を通信装置に入力する手間が省け、使用者の利便性が格段に向上する。【選択図】図１
2006228083.tif 000002
【特許請求の範囲】
【請求項１】
電話番号やメールアドレスなどの接続先情報を記録した２次元コードを印刷したことを特徴とする栞。
【請求項２】
２次元コードがＱＲコードである請求項１記載の栞。
【請求項３】
２次元コードが表面側の下端部に印刷されている請求項１または請求項２記載の栞。
【請求項４】
生地の全部又は大部分が白色又は黄色であり、この生地の上にＱＲコードが黒色又は青色又は緑色で印刷されている請求項２記載の栞。
【請求項５】
電話番号やメールアドレスなどの接続先情報を記録した２次元コードを栞に印刷する第１のステップと、栞の２次元コードを通信装置の読取部で読み取り、２次元コードに記録されている接続先に通信装置を自動接続する第２のステップとを備えることを特徴とする通信方法。
【請求項６】
第２のステップで読み取った接続先情報を通信装置の記憶部に記憶させる請求項５記載の通信方法。
【発明の詳細な説明】
【技術分野】
【０００１】
本発明は、例えば書籍の頁と頁との間に挟み込み使用される栞及びこれを用いた通信方法に関する。
【背景技術】
【０００２】
元来、本や雑誌等の書籍の頁と頁との間に差し込む栞は、読みかけの状態で一旦閉じるときにその位置を指し示すものであった。近年、この栞の持つ媒体としての機能に注目し、各種の広告やイベントの開催情報などを印刷することが行われつつある（特許文献１参照）。このような栞には、情報提供者の電話番号やメールアドレスなどが印刷されている場合が多い。
【特許文献１】実開平５−８５６６９号公報
【発明の開示】
【発明が解決しようとする課題】
【０００３】
しかし、栞の使用者が情報提供者に連絡しようとすると、印刷されている電話番号やメールアドレスをパソコンや携帯電話などの通信装置に入力しなければならず、操作が面倒であった。
【０００４】
本発明は、このような事情に鑑み、電話番号やメールアドレスなどの接続先情報を入力する手間を省き、使用者の利便性を向上できる栞及びこれを用いた通信方法を提供することを目的とする。
【課題を解決するための手段】
【０００５】
上記課題を解決するための本発明の栞は、電話番号やメールアドレスなどの接続先情報を記録した２次元コードを印刷したことを特徴とする。
【０００６】
かかる構成によれば、栞の２次元コードを例えば通信装置の読取部で読み取ることにより、２次元コードに記録されている接続先に通信装置を自動接続させることが可能となる。これにより、電話番号やメールアドレスなどの接続先情報を通信装置に入力する手間が省けるので、使用者の利便性が格段に向上する。
【０００７】
２次元コードは、
・ＱＲコードであるのが好ましい
・２次元コードは表面側の下端部に印刷されているのが好ましい
・生地の全部又は大部分が白色又は黄色であり、この生地の上にＱＲコードが黒色又は青色又は緑色で印刷されていることが好ましい
【０００８】
上記課題を解決するための本発明の通信方法は、電話番号やメールアドレスなどの接続先情報を記録した２次元コードを栞に印刷する第１のステップと、栞の２次元コードを通信装置の読取部で読み取り、２次元コードに記録されている接続先に通信装置が自動接続する第２のステップとからなることを特徴とする。
【０００９】
かかる構成によれば、栞の２次元コードを通信装置の読取部が読み取ると、２次元コードに記録されている接続先に通信装置が自動接続するので、電話番号やメールアドレスなどの接続先情報を通信装置に入力する手間が省け、使用者の利便性が格段に向上する。
【００１０】
第２のステップで読み取った接続先情報は、上記通信装置の記憶部に記憶するのが好ましい。
【発明の効果】
【００１１】
本発明によれば、電話番号やメールアドレスなどの接続先情報を通信装置に入力する手間が省け、使用者の利便性が格段に向上する。
【発明を実施するための最良の形態】
【００１２】
以下、本発明の一実施形態を添付図面に基づいて詳細に説明する。
図１は本実施形態による栞を表す上面図である。
図１において、この栞１の表面には、この例では、各種研究に関する特許出願の情報が印刷されるとともに、その下端部に二次元コードとしてのＱＲコード２が印刷されている（部分拡大図を図２に示す）。このＱＲコード２には、情報提供者の電話番号やメールアドレス、インターネットアドレス（ＵＲＬ）などが記憶されている。
図３は、この栞１を作成するためのシステムを表すシステム構成図である。
この図３に示すように、ＱＲコード２は、公知のＱＲコード生成ソフトをインストールしたパソコン３で作成して、このパソコン３に接続したプリンタ４で印刷すればよい。あるいは、例えばインターネット上の公知のＱＲコード作成サイト（例えば、http://www.qr.form.jp）にアクセスし、必要な情報（所属、氏名、電話番号、メールアドレス等）を送信することにより、ＱＲコードを作成してもらって電子データを取得し、これをプリンタ４で印刷するようにしてもよい。
図４は、ＱＲコード読取機能を備えた携帯電話の機能的構成を表す機能ブロック図である。
図４において、栞１に印刷されたＱＲコード２は、通信装置としての携帯電話５の読取部５ａで読み取られる。読み取られた情報のうち、電話番号やメールアドレス、インターネットアドレス（ＵＲＬ）などは無線部５ｂに送られ、該当する接続先に自動接続される。同時に、これらの情報は表示部５ｃに表示されると共に、電話帳やアドレス帳などの記憶部５ｄに記録される。
【００１３】
つまり、栞１のＱＲコード２を携帯電話５の読取部５ａで読み取るだけで、ＱＲコード２に記録されている接続先に携帯電話５が自動接続するので、電話番号やメールアドレスなどの接続先情報を入力する手間が省け、使用者の利便性・操作性が格段に向上する。また、一度読み取られた接続先情報は記憶部５ｄに記憶されているので、次回の接続の際には、栞１を用意する必要はなく、便利である。
【００１４】
ＱＲコード化するデータとしては、例えば携帯電話５のメールを作成したり、ＵＲＬをブックマークしたり、サイトヘリンクさせたり、アドレス帳に記憶させるなどの命令タグに加えて、携帯電話やパソコンなどのインターネットアドレス(ＵＲＬ)、メールアドレス、電話番号、ファクシミリ番号、住所、当選番号、抽選の当落、医療・健康情報、占い情報、芸能情報、地図情報、画像情報、天気情報、食品情報、スポーツ情報、政治情報、経済情報、マニュアル(取り扱い説明)、説明情報などがある。これらの情報は、携帯電話５のキー操作によって、必要なもの選択して表示部５ｃに表示させたり、記録部５ｄに記憶させたりすることができる。
【００１５】
ところで、ＱＲコードは２次元コードの一種であり、方式としてはマトリックス方式を採用している。バーコードが一方向だけに情報を持っているのに対し、ＱＲコードは、縦横の二方向に情報を持っているので、記録できる情報量を飛躍的に増加させたコードである。
【００１６】
このため、ＱＲコードは、数字、英字、漢字、カナ、ひらがな、記号、バイナリ、制御コード等あらゆるデータを扱うことが可能である。データ量は数字のみで7,089文字、英数字で4,296文字、漢字、全角カナで1,817文字である。主な特徴は、大容量、省スペース、高速読取であり、ＡＩＭ International(国際自動認識工業会、ISS-QR Code)、JIS(JISX0510)、ISO(ISO/IEC18004)などで規格化されている。
【００１７】
英数字300文字なら、約2cm×2cmのサイズでＱＲコード化できる。バーコードと同じ情報量であれぱ、１０分の１程度の大きさで表現できる。ＱＲコードの大きさは、セルのサイズと、バージョンで決まり、ここでセルとは、ＱＲコードを構成する黒と白の四角い点である。バージョンはデータの量によって決まるもので、パージョン1のＱＲコードは、一辺が２１個のセルで構成されている。
【００１８】
バージョンが1つ上がるたびに、ＱＲコードを構成する1辺のセルが4つ増え、バージョンは４０まである。例えば、バージョン２のＱＲコードは２５×２５個のセルで構成されているので、1つのセルを０.５mmとすると、１２.５mm角(使用時は、この周りに4セル分の空白個所が必要である)のＱＲコードとなる。ＱＲコードは、ＱＲコードド生成ソフトで作成し、プリンタで印刷する。
【００１９】
ＱＲコードリーダーは、現在赤色光によりＱＲコードを認識しているため、生地も印刷も赤い光を反射(または吸収)してしまう組み合わせの場合、ＱＲコードを認載できず、読み取りができない。つまり、生地が赤色を反射し、印刷が赤色を吸収する組み合わせであれば、読み取りが可能である。例えば、白い生地に赤や緑の生地に青などは読み取りできない。しかし、白や黄色などの生地に、青や緑の印刷なら読み取り可能である。すなわち、基本は白の生地に黒の印刷であり、例えば生地の全部又は大部分が白色又は黄色であり、この生地の上にＱＲコードが黒色又は青色又は緑色で印刷されていることが好ましいこととなる。生地の材料としては、紙、プラスチックなどが挙げられる。
【００２０】
本実施形態では、以上のように狭い領域に大量のデータを記憶できるＱＲコード２を栞１の表面に印刷しているので、これに電話番号やメールアドレス、インターネットアドレス（ＵＲＬ）などの接続先のデータを記憶しても、ＱＲコード２の大きさは小さくて済み、これを栞１の下端部に配置することができる。つまり、栞１としての必要な面積の確保が可能になる。
【００２１】
なお、以上の実施形態では、通信装置として携帯電話５を使用しているが、通信装置は携帯電話５に限定されるものではなく、例えばＬモード機能を有する固定電話であってもよい。
【図面の簡単な説明】
【００２２】
【図１】本発明の一実施形態による栞を表す上面図である。
【図２】図１に示した栞の部分拡大図である。
【図３】図１に示した栞を作成するためのシステムを表すシステム構成図である。
【図４】ＱＲコード読取機能を備えた携帯電話の機能的構成を表す機能ブロック図である。
【符号の説明】
【００２３】
１      栞
２      ＱＲコード
５      携帯電話
５ａ    読取部
５ｂ    無線部
５ｃ    表示部
５ｄ    記憶部
【図１】
2006228083.tif 000003
【図２】
2006228083.tif 000004
【図３】
2006228083.tif 000005
【図４】
2006228083.tif 000006